(57)【要約】【課題】端子の不完全接続などの異常に対して確実に反応する安全機能を備えた端子台を提供する。【解決手段】端子台１００は、端子台本体１０に、熱伝導性のシャフト３０を設け、このシャフト３０によって温度ヒューズユニット２０に熱を搬送し、この温度検出を行うようにしたものである。この端子台は、一次側端子に接続される一次側端子部１１と、二次側端子に接続される二次側端子部１２とを具備している。そしてこの一次側端子部と二次側端子部の間の領域に、熱伝導性のシャフト（ヒートパイプ）３０を端子の配列方向に沿って全幅に熱伝導性のシャフト３０を設けている。そして、このシャフト３０に、温度ヒューズユニット２０を接続している。温度ヒューズユニット２０は、端子板１５上に温度ヒューズ２３を搭載するとともに、この端子板１５から電線２４が導出される。【選択図】図１
2012216394.tif 000002
【特許請求の範囲】
【請求項１】
一次側端子に接続される一次側端子部と、
二次側端子に接続される二次側端子部と、
前記一次側端子部または前記二次側端子部の少なくとも一方に近接し、かつ端子の配列方向に沿って全幅に設けられた熱伝導性のシャフトと、前記シャフトに接続された感温部とを備えた端子台。
【請求項２】
請求項１に記載の端子台であって、
前記感温部は温度ヒューズである端子台。
【請求項３】
請求項２に記載の端子台であって、
前記シャフトはヒートパイプであり、
前記温度ヒューズは前記シャフトの一端に設けられている端子台。
【請求項４】
請求項３に記載の端子台であって、
前記一次側端子部と前記二次側端子部とを分離するセパレート部を備え、
前記ヒートパイプは、前記セパレート部の全幅に相当する領域にわたって配設された端子台。
【請求項５】
請求項３または４に記載の端子台であって、
前記ヒートパイプは、前記セパレート部の下層に全幅に相当する領域にわたって配設された端子台。
【請求項６】
請求項４または５に記載の端子台であって、
前記一次側端子部及び二次側端子部は、１端子毎に独立した端子ブロックとして形成されており、
前記シャフトが複数の前記端子ブロックを相互に固定する固定用シャフトを構成する端子台。
【請求項７】
請求項１乃至６のいずれか１項に記載の端子台を含む配電装置。
【発明の詳細な説明】
【技術分野】
【０００１】
本発明は、端子台およびこれを用いた配電装置に係り、特に、温度ヒューズなどの感温部を有し、温度検出機能を備えた端子台に関する。
【背景技術】
【０００２】
従来、分電盤、制御盤等の電気機器収納箱には、内部に収納した電気機器からの電線（内部電線すなわち二次配線）と、外部からの電線（外部電線すなわち一次配線）とを中継する端子台が備えられている（例えば、特許文献１参照）。このような端子台では、電気機器収納箱の製造業者が、電気機器収納箱内の電気機器からの内部電線を接続する。一方、外部電線の接続は、電気機器収納箱を現場に設置した後に、現場の施工業者が行う。
【先行技術文献】
【特許文献】
【０００３】
【特許文献１】特開２００５−６９６３８号公報
【発明の概要】
【発明が解決しようとする課題】
【０００４】
このように内部電線すなわち二次配線と、外部電線すなわち一次配線とが接続される端子台は、内部電線を接続した状態で出荷され、現場では外部電線の接続のみを行う。しかし、現場の施工業者が、電気機器収納箱内に外部電線を接続する際に、接続がゆるみ、発熱しやすいという課題があった。
【０００５】
本発明は、前記実情に鑑みてなされたものであり、その目的は、端子の不完全接続などの異常に対して温度ヒューズなどの感温部が確実に反応する安全機能を備えた端子台を提供することにある。
【課題を解決するための手段】
【０００６】
上記目的を達成するために、本発明による端子台は、一次側端子に接続される一次側端子部と、二次側端子に接続される二次側端子部と、前記一次側端子部または前記二次側端子部の少なくとも一方に近接し、かつ端子の配列方向に沿って全幅に設けられた熱伝導性のシャフトと、前記シャフトに接続された感温部とを備える。
【０００７】
また本発明は、上記端子台であって、前記感温部は温度ヒューズであるものを含む。
【０００８】
また本発明は、上記端子台であって、前記シャフトはヒートパイプであり、前記温度ヒューズは前記シャフトの一端に設けられているものを含む。
【０００９】
また本発明は、上記端子台であって、前記一次側端子部と前記二次側端子部とを分離するセパレート部を備え、前記ヒートパイプは、前記セパレート部の全幅に相当する領域にわたって配設されたものを含む。
【００１０】
また本発明は、上記端子台であって、前記ヒートパイプは、前記セパレート部の下層に全幅に相当する領域にわたって配設されたものを含む。
【００１１】
また本発明は、上記端子台であって、前記一次側端子部及び二次側端子部は、１端子毎に独立した端子ブロックとして形成されており、前記シャフトが複数の前記端子ブロックを相互に固定する固定用シャフトを構成するものを含む。
【００１２】
また本発明は、上記端子台で配電装置を構成する。
【発明の効果】
【００１３】
上記構成によれば、端子の不完全接続などの異常に対して温度ヒューズなどの感温部が確実に反応し得、安全を確保することのできる端子台を提供することができる。
このため、端子台が更に加熱されて焼損、発火することがない。
【図面の簡単な説明】
【００１４】
【図１】本発明の実施の形態１の端子台を示す斜視図
【図２】本発明の実施の形態１の端子台を示す分解斜視図であり、（ａ）は端子台本体、（ｂ）は温度ヒューズユニットを示す図
【図３】本発明の実施の形態１の端子台を示す図であり、（ａ）は上面図、（ｂ）は正面図、（ｃ）は側面図
【図４】図３（ａ）のＡ−Ａ断面図
【図５】実施の形態１の端子台の変形例を示す図
【図６】実施の形態２の端子台を用いた分電盤を示す斜視図
【図７】実施の形態３の端子台を示す断面図
【図８】実施の形態４の端子台を示す断面図
【発明を実施するための形態】
【００１５】
本発明の端子台について、図面を参照しつつ詳細に説明する。
（実施の形態１）
図１は、実施の形態１の端子台を示す斜視図（温度ヒューズユニット装着前）、図２はこの端子台を示す分解斜視図であり、（ａ）は端子台本体、（ｂ）は感温ユニットとしての温度ヒューズユニットを示す図である。図３は端子台を示す図であり、（ａ）は上面図、（ｂ）は正面図、（ｃ）は側面図である。図４は、図３（ａ）のＡ−Ａ断面図である。
【００１６】
この端子台１００は、図１に示すように、端子台本体１０に、熱伝導性のシャフト３０を設け、このシャフト３０によって温度ヒューズユニット２０に熱を搬送し、この温度検出を行うようにしたものである。この端子台は、一次側端子に接続される一次側端子部１１と、二次側端子に接続される二次側端子部１２とを具備している。そしてこの一次側端子部と二次側端子部の間の領域に、熱伝導性のシャフト（ヒートパイプ）３０を端子の配列方向に沿って全幅に熱伝導性のシャフト３０を設けている。なお図１は温度ヒューズユニット装着前の状態を示す。そして、図２に示すようにこのシャフト３０に、温度ヒューズユニット２０を接続している。温度ヒューズユニット２０は、端子板１５上に温度ヒューズ２３を搭載するとともに、この端子板１５から電線２４が導出される。
ここでは一次側端子部１１、二次側端子部１２ともに８個の端子を備えるが、各端子部は隔壁１０ｓで分離されている。温度ヒューズ２３としては、所定の温度以上になるとこれを検知して溶断する温度ヒューズ２３が用いられ、温度ヒューズユニット２０を構成している。そして、温度ヒューズ２３は、信号線を構成する電線２４に接続される。
そしてこの端子台は、一次側端子部１１と二次側端子部１２とを分離するセパレート部１３が、端子台本体１０と一体成型で形成されている。
【００１７】
一次側端子部１１は、端子ネジ１１ａを台座１１ｂに設けられたネジ穴に螺合させることにより、一次側配線の各端子とこの端子台本体１０との電気的接続を達成している。また、二次側端子部１２は、端子ネジ１２ａを台座１２ｂに設けられたネジ穴に螺合させることにより、二次側配線の各端子とこの端子台本体との電気的接続を達成している。
１４は端子台本体１０の両端の支持板であり、それぞれ支持板本体１４ａと、取り付け突起１４ｂと、ビス１４ｃとを有している。１４ｄは外部接続端子部である。また１５は端子板であり、この端子板１５に形成された配線パターンによって一次側端子部と二次側端子部とが接続されている。
【００１８】
上記構成によれば、ヒートパイプなどの熱伝導性のシャフト３０を用いることで、このシャフト３０の近傍が所定の温度以上になると、その熱が温度ヒューズ２３に伝達されるため、極めて容易に温度ヒューズ２３を高感度化することができる。シャフトは銅、アルミニウムなど熱伝導性の優れた材料で構成される。
又上記構成によれば、ヒートパイプを配するだけで、温度ヒューズを高感度化することができる。
また各端子は端子台本体１０の複数個の突起すなわち隔壁１０ｓで確実に保持されながらも、いずれかの端子が許容温度を超えた時にも、高温となった事実をヒートパイプを介して容易に温度ヒューズに伝達することができる。このように本実施の形態の端子台では、８端子に対して１個の温度ヒューズでよく、ヒートパイプによって端子台の端子配列方向に沿って効率よく熱が伝達しうるように構成されている。
またこの構成によれば、端子の不完全接続などの異常に対してセンサが確実に反応することができるため、確実な安全装置として作用する。
【００１９】
なお、前記実施の形態では、温度ヒューズを用いたが、高温を検知して溶断する温度ヒューズに代えて、単に温度センサを用いて、警告信号を発信したり、別の場所で警告音を発するようにしてもよい。
【００２０】
また、前記実施の形態では、８端子に対して１個の温度ヒューズを用いているが、図５に変形例を示すようにヒートパイプの両端に温度ヒューズを配置するようにしてもよい。
【００２１】
（実施の形態２）
次いで、本発明の実施の形態２について、図面を参照して説明する。
図６は、実施の形態２の端子台を用いた分電盤を示す斜視図である。
本実施の形態では一次側端子部１１と二次側端子部１２との間にヒートパイプからなる熱伝導性のシャフト３０を配置した端子台１００を用いた分電盤Ｂについて説明する。
分電盤Ｂとしては通常の構成を示すものであるが、表示部Ｄ、端子台１００を備えている。この端子台１００は一次側端子部１１と二次側端子部１２との間のセパレート部１３にシャフト（図示せず）を具備している。そして、温度ヒューズが、温度ヒューズユニットを構成しており、これが、端子台本体１０と一体成型で形成された樹脂製のセパレート部１３に装着されている。なお、図１に示した実施の形態１の端子台と同一の部分については同一の符号を付して、その詳細な説明は省略する。
【００２２】
なお、前記実施の形態１では、温度ヒューズを用いたが、本実施の形態においても、高温を検知して溶断する温度ヒューズに代えて、単に温度センサを用い、警告信号を発信したり、別の場所で警告音を発するようにしてもよい。
【００２３】
（実施の形態３）
次に本発明の実施の形態３の端子台について説明する。この端子台は、図７に断面図を示すように、熱伝導性のシャフト３０の位置を下部に配したものである。すなわち、端子台の一次側端子部１１と二次側端子部１２とを分断している端子板１５上面のセパレート部１３に代えて、セパレート部１３直下に熱伝導性のシャフト３０としてヒートパイプを設けている。
【００２４】
セパレート部１３の直下に一及び二次側端子部間領域を貫通する貫通溝１３Ｍ０を有しており、この貫通溝１３Ｍ０内にヒートパイプからなるシャフト３０を挿通し、端部に温度センサユニット２０Ｓを装着している。なおこの貫通溝１３Ｍ０を含むセパレート部については端子台本体１０と一体成型されている。
【００２５】
この端子台１００Ｓは、図７に示すように、前記実施の形態１に示した端子台と同様、端子台本体１０に、一次側端子に接続される一次側端子部１１と、二次側端子に接続される二次側端子部１２と、温度変化を検出する温度センサユニット２０Ｓを備えたことを特徴とする。この温度センサユニット２０Ｓはセパレート部に設けられた貫通溝１３Ｍ０に装着され、端子台の端子板１５に直接接触するように構成されている。
【００２６】
一次側端子部１１は、端子ネジ１１ａを台座１１ｂに設けられたネジ穴に螺合させることにより、一次側配線の各端子とこの端子台本体１０との電気的接続を達成している。また、二次側端子部１２は、端子ネジ１２ａを台座１２ｂに設けられたネジ穴に螺合させることにより、二次側配線の各端子とこの端子台本体との電気的接続を達成している。
１４は端子台本体１０の両端の支持板であり、それぞれ支持板本体１４ａと、取り付け突起１４ｂと、ビス１４ｃとを有している。
【００２７】
上記構成によれば、ヒートパイプの端部に温度センサ２３Ｓを設けているため、端子の不完全接続などの異常に対して温度センサ２３Ｓが確実に反応し、一次側及び二次側の両側の異常検知が可能である。
【００２８】
また本実施の形態では、端子台のセパレート部の長手方向全体にわたり、貫通溝を形成し、この貫通溝内にヒートパイプを通して熱を温度センサ２３Ｓまで搬送しているため、容易に確実な温度検出が実現される。
【００２９】
（実施の形態４）
次に本発明の実施の形態４の端子台について説明する。この端子台は、図８に断面図を示すように、熱伝導性のシャフト３０を一次側端子部及び二次側端子部の固定用に用いたものである。本実施の形態では、一次側端子部及び二次側端子部は、１端子毎に独立した端子ブロックとして形成されており、シャフトが複数の端子ブロックを相互に固定する固定用シャフトを構成する。
すなわち、本実施の形態では、端子台の一次側端子部１１と二次側端子部１２とが、１端子毎に独立した端子ブロックとして形成されており、８ブロックの端子ブロックをシャフトが相互に固定する固定用シャフト３０ｋを構成する。この場合も、セパレート部１３直下に熱伝導性の固定用シャフト３０ｋとしてヒートパイプを設けている。
【００３０】
セパレート部１３の直下に各端子ブロックは、一及び二次側端子部間領域を貫通する貫通溝１３Ｍ０を有しており、この各貫通溝１３Ｍ０内にヒートパイプからなるシャフト３０を挿通し、一体的に固定するとともに、端部に温度センサユニット２０Ｓを装着している。
【００３１】
かかる構成によれば、ヒートパイプが固定軸と兼用されており、部品点数の低減を図ることができ、固定と熱接触とを兼ね備えたヒートパイプが実現可能である。
【符号の説明】
【００３２】
１０      端子台本体
１０ｓ      隔壁
１１      一次側端子部
１１ａ      端子ネジ
１１ｂ      台座
１２      二次側端子部
１２ａ      端子ネジ
１２ｂ      台座
１３      セパレート部
１４      支持板
１４ａ      支持板本体
１４ｂ      取り付け突起
１４ｃ      ビス
１４ｄ      外部接続端子部
１５      端子板
２０      温度ヒューズユニット
２０Ｓ      温度センサユニット
２３      温度ヒューズ
２３Ｓ      温度センサ
１００      端子台
３０      シャフト（ヒートパイプ）
３０Ｋ      固定用シャフト（ヒートパイプ）
【図１】
2012216394.tif 000003
【図２】
2012216394.tif 000004
【図３】
2012216394.tif 000005
【図４】
2012216394.tif 000006
【図５】
2012216394.tif 000007
【図６】
2012216394.tif 000008
【図７】
2012216394.tif 000009
【図８】
2012216394.tif 000010